(57)【要約】      （修正有）【課題】計時器のための調整された跳躍表示機構を提供する。【解決手段】計時器表示機構１は、駆動車セット２０１によって駆動される第１の車セット４の心軸４１と、周辺スネイル５１カム５を支持する胴部３との間にばねを有する香箱１０を備え、カム５は、表示部材１００の周期的な跳躍を制御する触手６が横断し、この胴部３は、この触手６の軌道の外側で周辺爪７を支持し、第１の車セット４は、偏心クランク・ピン４２を含み、偏心クランク・ピン４２は、溝８１を永続的に案内し、枢動する錨部品８の周期的な前後運動を制御し、錨部品８は、錨部品軸Ｄ８の両側に、この錨部品８の角度位置に応じて、この爪７を停止又は解放するくちばし８３及び停止部８４を含み、爪７をくちばし８３により解放することと、爪７がこの停止部８４に戻り、当接することとの間の各爪７の角度進行は、跳躍継続時間を規定する。【選択図】図１
2019158878.tif 000002
【特許請求の範囲】
【請求項１】
跳躍移動する少なくとも１つの表示部材（１００）を含む計時器表示機構（１）であって、前記機構（１）は、第１の車セット（４）と第２の車セット（３０）との間に少なくとも１つのばね（２）を含み、前記第１の車セット（４）又は前記第２の車セット（３０）のそれぞれは、駆動車セット（２０１）によって駆動されるように構成し、前記第２の車セット（３０）又は前記第１の車セット（４）のそれぞれは、周辺スネイル（５１）カム（５）を駆動又は支持するように構成し、前記カム（５）は、前記表示部材（１００）の跳躍を制御するように構成した触手（６）が横断し、前記機構（１）は、係止／解放手段（７０）を含み、前記係止／解放手段（７０）は、一方の、前記第２の車セット（３０）又は前記第１の車セット（４）のそれぞれによって駆動される少なくとも１つの爪（７）、及びもう一方の、第３の車セット（８０）を含み、前記第３の車セット（８０）は、前記第３の車セット（８０）の角度位置に応じて、前記少なくとも１つの爪（７）を停止し、前記カム（５）の回転を防止するか、又は前記少なくとも１つの爪（７）を解放し、前記カム（５）の回転を可能にするように構成する、計時器表示機構（１）において、前記第３の車セット（８０）は、前記第１の車セット（４）又は前記第２の車セット（３０）のそれぞれの作用下、錨部品軸（Ｄ８）回りに角移動可能な錨部品（８）であり、前記錨部品（８）は、前記錨部品（８）の角度位置に応じて、前記少なくとも１つの爪（７）を停止し、前記カム（５）の回転を防止するか又は前記少なくとも１つの爪（７）を解放し、前記カム（５）の回転を可能にするように構成することを特徴とする、計時器表示機構（１）。
【請求項２】
前記機構（１）は、調整列を含む調整機構（９）を含み、前記調整列は、前記第２の車セット（３０）又は前記第１の車セット（４）のそれぞれの列と嵌合し、前記第２の車セット（３０）又は前記第１の車セット（４）のそれぞれは、前記爪（７）を解放した際に前記カム（５）を駆動又は支持し、前記カム（５）の回転速度を制限することを特徴とする、請求項１に記載の機構（１）。
【請求項３】
前記少なくとも１つのばね（２）は、前記車セット（４）の心軸（４１）と前記第２の車セット（３０）との間に巻かれることを特徴とする、請求項１に記載の機構（１）。
【請求項４】
前記第２の車セット（３０）は、前記触手（６）の軌道の外側で、少なくとも１つの周辺爪（７）を支持する胴部（３）であることを特徴とする、請求項１に記載の機構（１）。
【請求項５】
前記第１の車セット（４）は、偏心クランク・ピン（４２）を含み、前記偏心クランク・ピン（４２）は、溝（８１）を永続的に案内し、枢動する前記錨部品（８）の周期的な前後運動を制御し、枢動する前記錨部品（８）は、前記錨部品軸（Ｄ８）の両側に、前記錨部品（８）の角度位置に応じて、前記爪（７）を停止又は解放するくちばし（８３）及び停止部（８４）を含み、前記爪（７）を前記くちばし（８３）により解放することと、前記爪（７）が前記停止部（８４）上に戻り、当接することとの間の前記各爪（７）の角度進行は、跳躍継続時間を規定することを特徴とする、請求項１に記載の機構（１）。
【請求項６】
前記機構（１）は、香箱（１０）を含み、前記香箱（１０）は、一方の、前記香箱（１０）の心軸と、もう一方の、前記胴部（３）との間に少なくとも１つの前記ばね（２）を備え、前記香箱（１０）の前記心軸は、前記第１の車セット（４）の前記心軸（４１）と一体であるか又は前記心軸（４１）を形成することを特徴とする、請求項３に記載の機構（１）。
【請求項７】
前記第１の車セット（４）は、整数の歯車比で枢動し、前記駆動車セット（２０１）によって駆動すること、前記スネイル（５１）は、前記跳躍後のゼロ再設定境界部（５２）を備えること、前記爪（７）が前記くちばし（８３）により解放されることと、前記爪（７）が前記停止部（８４）上に戻り、当接することとの間の、前記第１の車セット（４）の軸（Ｄ４）に対する前記各爪（７）の角度進行は、跳躍継続時間を規定し、前記跳躍継続時間は、前記カム（５）の上で前記触手（６）が進行する継続時間に対応し、前記触手（６）は、最初に、前記スネイル（５１）の下側段（５１１）から上側段（５１２）に徐々に昇る傾斜部を進行し、次に、前記ゼロ再設定境界部（５２）を横断すると、瞬時に落下し、前記下側段（５１１）に戻ることを特徴とする、請求項１に記載の機構（１）。
【請求項８】
前記各跳躍は、早期の状態と後期の状態との間の前記表示部材（１００）の状態の変化、及び跳躍継続時間に対応し、前記跳躍継続時間は、前記早期の状態の安定表示と、前記後期の状態の安定表示との間で経過する時間期間に対応することを特徴とする、請求項１に記載の機構。
【請求項９】
前記第１の入力車セット（４）は、前記連続駆動車セット（２０１）によって駆動され、前記連続駆動車セット（２０１）が１回転する間、１回転又は整数回転又は全ての分数回転を完了するように構成することを特徴とする、請求項１に記載の機構（１）。
【請求項１０】
前記第２の車セット（３０）は、香箱（３）であり、前記香箱（３）は、駆動車セット（２０１）によって駆動されるように構成し、前記第３の車セット（８０）を支持すること、及び前記第１の車セット（４）は、前記周辺スネイル（５１）カム（５）を駆動又は支持するように構成することを特徴とする、請求項１に記載の表示機構（１）。
【請求項１１】
前記表示部材（１００）は、周期的に跳躍移動することを特徴とする、請求項１に記載の機構（１）。
【請求項１２】
前記表示部材（１００）は、日付表示部材であることを特徴とする、請求項１に記載の機構（１）。
【請求項１３】
請求項１に記載の表示機構（１）を含む計時器ムーブメント（５００）。
【請求項１４】
請求項１３に記載のムーブメント（５００）又は請求項１に記載の表示機構（１）を含む時計（１０００）。
【発明の詳細な説明】
【技術分野】
【０００１】
本発明は、跳躍移動する少なくとも１つの表示部材を備える計時器表示機構に関し、上記機構は、第１の車セットと第２の車セットとの間に少なくとも１つのばねを備え、上記第１の車セット又は上記第２の車セットのそれぞれは、駆動車セットを駆動するように構成する。
【０００２】
本発明は、そのような表示機構を含む計時器ムーブメントにも関する。
【０００３】
本発明は、そのような計時器ムーブメント及び／又はそのような表示機構を含む時計にも関する。
【０００４】
本発明は、特に時計のための計時器表示機構の分野に関する。
【背景技術】
【０００５】
日付機構を備えるムーブメントは、様々な駆動機構：
−直接駆動機構；
−半瞬間機構；
−瞬間機構；
を備える。
【０００６】
直接駆動機構の一例は、書籍「Ｌｅｓ  ｍｏｎｔｒｅｓ  ｃｏｍｐｌｉｑｕｅｅｓ（複雑時計）」、Ｆｒａｎｃｏｉｓ  Ｌｅｃｏｕｌｔｒｅ著（Ｓｉｍｏｎｉｎ編）、「Ｑｕａｎｔｉｅｍｅ  ｓｉｍｐｌｅ（単純カレンダ機構）」及び「Ｑｕａｎｔｉｅｍｅ  ｐｅｒｐｅｔｕｅｌ  ｔｒａｉｎａｎｔ（連続式永久カレンダ）」の章に記載されている。
【０００７】
半瞬間機構は、単純な構造であるため、かなり一般的である。可撓性爪は、日押さえが跳躍するまで日付駆動車上で準備状態にされ、したがって、第２の部の跳躍のみが瞬間的である。この構造は、主な市販の時計ムーブメント、特に、以下：ＥＴＡ２８２４、２８９２、Ｂｒｅｇｕｅｔ７７００、１０５０、７８７５、Ｂｌａｎｃｐａｉｎ１１５０、１１８０、１２８０で見られる。
【０００８】
瞬間機構の一例は、書籍「Ｌｅｓ  ｍｏｎｔｒｅｓ  ｃｏｍｐｌｉｑｕｅｅｓ（複雑時計）」、Ｆｒａｎｃｏｉｓ  Ｌｅｃｏｕｌｔｒｅ著（Ｓｉｍｏｎｉｎ編）、「Ｑｕａｎｔｉｅｍｅ  ｐｅｒｐｅｔｕｅｌ  ｉｎｓｔａｎｔａｎ（瞬間永久カレンダ）」の章に記載されている。システムを有する他の構造が存在し、システムは、昼の部の間、ばねを巻き／準備状態にし、真夜中に起動させ、これにより、ばねを解放し、日付表示器駆動機能を実施する。この種のムーブメント、例えば、Ｂｒｅｇｕｅｔ８８１０又はＢｌａｎｃｐａｉｎ６９５０のムーブメントが市場に存在する。
【０００９】
複雑瞬間日付機構、例えば、永久カレンダ又は大型開口若しくは転子の日付表示を行う際、瞬間解放により、構成要素を高速で移動させる。構成要素に加えられる動的応力は、慣性のために目立つ。高速度が高慣性と組み合わさると、（１時間から数時間かかる）直接駆動機能の場合では存在しない高い応力がもたらされ、動作の混乱が生じる、例えば、２重跳躍が起こることがある。
【００１０】
同じ問題は、表示が跳躍と共に変化する場合、日付表示に関し上記した特定のケース以外にも、他の表示、例えば、ＡＭ／ＰＭ若しくは昼／夜表示又はあらゆるレトログラード表示にも影響を及ぼす。
【００１１】
ＢＲＯＷＮ名義のスイス特許第ＣＨ２０３１８１Ａ号は、それぞれ１の位、１０の位及び１００の位のための３つの円板上の円弧角度を表示する恒星計時器を開示しており、１０の位の円板は、７個の数字０から６のみを担い、数字７、８及び９を担う同心扇形部と関連付けられ、当該円板に接続される。遊びは、１の位の円板によって、この扇形部が３つの区分を連続的に通過して駆動されることを可能にし、１０の位の円板の４つの回転のうち３つの回転が終了すると、１０の位の円板は静止したままになる。上記円板の回転により、１０の位の円板の４番目の回転時に作動されるデバイスは、この扇形部との接続を解除し、同時に、引き込み可能な歯を１０の位の円板の縁部に出現させ、これにより、１の位の円板が、１０の位の円板を急速に連続駆動し、表示３６０及び次に００１のための２つの区分を通過させることを可能にする。
【先行技術文献】
【特許文献】
【００１２】
【特許文献１】スイス特許第ＣＨ２０３１８１Ａ号
【非特許文献】
【００１３】
【非特許文献１】書籍「Ｌｅｓ  ｍｏｎｔｒｅｓ  ｃｏｍｐｌｉｑｕｅｅｓ（複雑時計）」、Ｆｒａｎｃｏｉｓ  Ｌｅｃｏｕｌｔｒｅ著（Ｓｉｍｏｎｉｎ編）、「Ｑｕａｎｔｉｅｍｅ  ｓｉｍｐｌｅ（単純カレンダ機構）」、「Ｑｕａｎｔｉｅｍｅ  ｐｅｒｐｅｔｕｅｌ  ｔｒａｉｎａｎｔ（連続式永久カレンダ）」及び「Ｑｕａｎｔｉｅｍｅ  ｐｅｒｐｅｔｕｅｌ  ｉｎｓｔａｎｔａｎｅ（瞬間永久カレンダ）」の章
【発明の概要】
【発明が解決しようとする課題】
【００１４】
特に、排他的ではないが、永久カレンダ又は大型開口若しくは転子の日付表示等の複雑日付機構等、表示が跳躍と共に変化する表示機構に関し、ユーザに数秒間見えるように真夜中に瞬間的に日付を変更させることが有利である。例えば、２月２８日から３月１日までの変更は、３から４秒かかる。この瞬間性という概念の低減は定性的になる。
【００１５】
本発明は、ユーザが跳躍を見ることができる、調整された表示駆動デバイスの展開を提案するものであり、より詳細には、調整された日付表示機構について記載する。
【課題を解決するための手段】
【００１６】
この目的で、本発明は、請求項１に記載の跳躍移動する表示部材を有する計時器表示機構に関する。
【００１７】
本発明は、そのような表示機構を含む計時器ムーブメントにも関する。
【００１８】
本発明は、そのような計時器ムーブメント及び／又はそのような表示機構を含む時計にも関する。
【００１９】
本発明の他の特徴及び利点は、添付図面を参照しながら以下の詳細な説明を読めば明らかになるであろう。
【図面の簡単な説明】
【００２０】
【図１】本発明による、表示部材を有する計時器表示機構の概略平面図であり、表示部材は、正午に出現すると跳躍移動する。この機構は、ムーブメントによって駆動される第１の車セットの心軸と、表示部材の跳躍を制御する滑り子が横断する周辺スネイル・カムを支持する胴部との間にばねを有する香箱を含み、跳躍は、ここでは周期的な跳躍である。胴部は、周辺爪を支持し、周辺爪は、ケースに応じて、枢動する錨部品の停止部又はくちばしと協働するように配置され、錨部品の枢動は、第１の車セットの偏心部によって制御される。胴部の自由回転は、図の左部分の調整機構によって制動する。
【図２Ａ】図１の線Ａ−Ｄに沿って取った図１の機構の断面図である。胴部、錨部品及び転子の領域をより詳細に表す。
【図２Ｂ】図１の線Ａ−Ｂに沿って取った図１の機構の断面図である。調整機構の領域をより詳細に表す。
【図３】図１の線Ｂ−Ｃに沿って取った図１の機構の断面図である。
【図４】図１と同様の、正午より少し前の約１１：００の同じ機構の図である。
【図５】図１と同様の、正午より少し後の約１２：３０の同じ機構の図である。
【図６】図１と同様の、真夜中より少し前の約２３：００の同じ機構の図である。
【図７】図１と同様の、真夜中より少し後の約００．３０の同じ機構の図である。
【図８】図１と同様の、調整機構の領域のみの図である。
【図９】図１と同様の、胴部及び錨部品の領域のみの図であり、錨部品は、午後のための実線及び午前のための点線における極限角度位置で表される。
【図１０】図１と同様の、表示部材を制御するカム及び滑り子／触腕の領域のみの図である。
【図１１】ムーブメントを備える時計のブロック図であり、ムーブメントは、一方で、本発明による表示機構を含み、もう一方で、本発明による別の表示機構を駆動する。
【発明を実施するための形態】
【００２１】
本発明は、跳躍移動する表示部材１００を有する計時器表示機構１に関する。より詳細には、この表示部材は、周期的に跳躍移動する。このことは、図示の実施形態に該当する。
【００２２】
この機構１は、第１の車セット４と第２の車セット３０との間に少なくとも１つのばね２を備える。この第１の車セット４又は第２の車セット３０のそれぞれは、駆動車セット２０１によって駆動されるように構成し、駆動車セット２０１は、表示機構自体の中、又はムーブメント５００若しくは同様のもの等の外部機構のいずれかの中に含まれる。
【００２３】
本発明によれば、駆動車セット２０１によって直接駆動されない車セット、即ち、第２の車セット３０又は第１の車セット４のそれぞれは、カム５を駆動又は支持するように構成する。
【００２４】
より詳細には、このカム５は、触手６が横断する周辺スネイル・カム５１であり、触手６は、そのような表示部材１００の跳躍、特に周期的な跳躍を制御するように構成する。
【００２５】
機構１は、係止／解放手段７０を含み、係止／解放手段７０は、一方の、第２の車セット３０又は第１の車セット４のそれぞれによって駆動される少なくとも１つの爪７、及びもう一方の、第３の車セット８０を含み、第３の車セット８０は、その角度位置に応じて、この少なくとも１つの爪７を停止してカム５の回転を防止するか又はこの少なくとも１つの爪７を解放してカム５の回転を可能にするように構成される。
【００２６】
このカム５の機能は、触手６に対し一定期間の進行を課し、ユーザにはっきりと見える表示の変更をもたらすものである。したがって、跳躍は、数秒にわたって広がり、カムの縁部において可能な最長の進行経路に対応する。
【００２７】
この表示の変更を可能な限り均一に生じさせるため、有利には、機構１は、カム５を支持する車セットの回転速度を調整する調整機構９を含む。この調整機構９は、特に図示のバージョンでは調整列を含み、調整列は、第２の車セット３０又は第１の車セット４のそれぞれの列と嵌合し、第２の車セット３０又は第１の車セット４は、カム５を駆動又は支持し、爪７を解放した際の回転速度を制限する。
【００２８】
より詳細には、図示の非限定的な実施形態では、機構１は、一方の、第１の車セット４の心軸４１と、もう一方の、第２の車セット３０との間に巻かれた少なくとも１つのばね２を含む。更により詳細には、この第２の車セット３０は胴部３であり、胴部３は、触手６の軌道、特に、触手６の軌道の外側を妨害せずに、少なくとも１つの周辺爪７を支持する。この胴部３は、周辺カム５を支持し、周辺カム５は、より詳細には、表示部材１００跳躍後の少なくとも１つのゼロ再設定境界部５２を含み、より詳細には、必ずしもそうではないが、スネイル５１である。カム５は、触手６が横断し、触手６は、特に、表示部材１００の周期的な跳躍、特に、排他的ではないが、日付表示部材の跳躍を制御するように構成する。
【００２９】
図示の実施形態では、スネイル５１は、下側段５１１から上側段５１２まで延在する長い傾斜部、及び単一境界部５２を含む。触手６は、図示の非限定変形形態では滑り子である。他の図示しない変形形態では、この触手は、カム外形の上を擦る単一の爪又はそれ以外のものとすることができる。
【００３０】
他の図示しない変形形態では、スネイルは、その周囲上に、交互のそのような傾斜部及びそのような境界部を含むことができる。より詳細には、排他的ではないが、各傾斜部に対応する角度区分は、同一である。
【００３１】
図示の実施形態では、第３の車セット８０は、停止器であり、特に、第１の車セット４又は第２の車セット３０のそれぞれの作用下、錨部品軸Ｄ８回りに角移動可能な錨部品８である。この錨部品８は、その角度位置に応じて、上記少なくとも１つの爪７を停止し、カム５の回転を防止するか、又は上記少なくとも１つの爪７を解放し、カム５の回転を可能にするように構成する。
【００３２】
より詳細には、第１の車セット４は、偏心クランク・ピン４２を含み、偏心クランク・ピン４２は、解放錨部品８内に含まれる溝８１を永続的に案内し、枢動する錨部品８の周期的な前後運動を制御する。錨部品８は、錨部品軸Ｄ８の両側にくちばし８３及び停止部８４を含み、錨部品８の角度位置に応じて爪７を停止又は解放する。
【００３３】
くちばし８３により爪７が解放されることと、爪７が停止部８４上へ戻り、当接することとの間の各爪７の角度進行は、跳躍の継続時間、即ち、表示変更の継続時間を規定する。
【００３４】
図示の特定のケースでは、唯一の爪７がある。
【００３５】
図示の特定のケースでは、カム５上に唯一のゼロ再設定境界部５２がある。
【００３６】
図示される本発明の特定の適用例では、機構１は、香箱１０を含み、香箱１０は、一方の香箱１０の心軸と、もう一方の胴部３との間に少なくとも１つのそのようなばね２を備え、香箱１０の心軸は、第１の車セット４の心軸４１と一体であるか又は心軸４１を形成する。
【００３７】
しかし、このばね２は、あらゆる適切なばねとすることができ、この香箱のばねは、本発明の産業的な実装に十分に適した、単なる特定のケースである。
【００３８】
非限定的な図示の例では、ばね２は、駆動車セット２０１によって巻かれ、駆動車セット２０１は、２４時車であるか、又は２４時車への列に接続される。ばねは、２４時車以外の手段、例えば、自動巻列によって巻くこともでき、自動巻列は、回転錘、手巻機構又はそれ以外によって駆動される。
【００３９】
より詳細には、第１の車セット４は、整数の歯車比で枢動し、駆動車セット２０１によって駆動される。
【００４０】
錨部品８の前後運動は、爪７がくちばし８３により解放されることと、爪７が停止部８４上に戻り、当接することとの間の、第１の車セット４の軸Ｄ４に対する各爪７の角度進行を規定する。この角度進行は、跳躍継続時間を規定し、跳躍継続時間は、カム５の上で触手６が進行する継続時間に対応し、触手６は、最初に、スネイル５１の下側段５１１から上側段５１２に徐々に上昇する緩やかな傾斜部を進行し、次に、ゼロ再設定境界部５２を横断すると、瞬時に落下し、下側段５１１に戻る。境界部５２の急な側を介する、この下側段５１１への戻り位置は、瞬時に生じ、例えば、星形車上のクリック爪システム等による表示に影響を与えることはない。
【００４１】
したがって、各跳躍は、早期の状態と後期の状態との間の表示部材１００の状態の変化に対応し、跳躍継続時間は、早期の状態の安定表示と、後期の状態の安定表示との間で経過する時間期間に対応する。
【００４２】
より詳細には、第１の入力車セット４は、連続駆動車セット２０１によって駆動され、連続駆動車セット２０１が１回転する間、１回転又は整数回転又は全ての分数回転を達成するように構成する。
【００４３】
本発明の特定の適用例を図示する。
【００４４】
駆動車セット２０１は、従来の計時器ムーブメントに対しエネルギー及び時間基準（２４時間に１回転）をもたらす２４時車である。
【００４５】
この駆動車２０１は、ここでは更なる２４時車である第１の入力車セット４を駆動する。この第１の入力車セット４は、偏心クランク・ピン４２を支持し、第１の入力車セット４の心軸４１は、更なる香箱３のばね２に接続される。したがって、この更なる香箱３は、ここでは、２４時間ごとに１回転巻かれる。
【００４６】
偏心クランク・ピン４２は、錨部品８の溝８１と連続的に協働し、溝８１は、図の特定のケースでは、更なる２４時車の真っすぐな長方形の溝である。したがって、解放錨部品８は、２４時間で１回の前後運動を行う。図示の例は、ある日付の特定のケースでは、真夜中における単一の日単位の跳躍に関係するが、歯車比、歯７の数及び歯７の位置、第３の車セット８０の数、特に錨部品８の数、並びに／又はゼロ再設定境界部５２の数を適合させることによって、別の周期を有するあらゆる表示に本発明を外挿し、様々な跳躍機能を実施することが可能であることを理解されたい。
【００４７】
例えば、正午及び真夜中の２回の日単位の跳躍を有する適用例は、ＡＭ／ＰＭ指示器の状態を変更することができるか、又は６：００及び１８：００の２回の日単位の跳躍を有する適用例は、昼／夜指示器の状態を変更することができる。
【００４８】
更に別の適用例は、週単位の表示に関係し、７日間で回転し、曜日を表示する。多くの他の適用例が当業者に利用可能であり、有利である。というのは、本発明は、表示変更に対する新規の可視性をもたらし、この新規の可視性は、ユーザにとって好ましい改良とみなされるためである。
【００４９】
したがって、錨部品８の前後運動は、胴部３の回転、特に図のケースでは、胴部３の爪７を介して香箱１０の胴部３の回転を作動させ、上記胴部が、真夜中に約３３０°の角度で回転し、正午に更なる３０°の角度で回転することを可能にする。
【００５０】
特定の実施形態では、偏心クランク・ピン４２は、心軸４１に摩擦により組み付けられ、例えば、その日の真夜中に跳躍を割り送るようにする。
【００５１】
胴部３の３３０°の回転は、カム５、特にスネイル５１を介して、表示機構、特に日付表示器を駆動させ、スネイル５１は、カム５に取り付けられ、触手６に運動を与え、触手６は、図では、表示部材１００を移動させるように構成した日付駆動車の滑り子である。後続の、特に日付の表示機能は、公知の様式、例えば、単純な機構又は永久カレンダ機構の形態で実施される。
【００５２】
更なる３０°の回転は、解放錨部品８の機能でのみ必要であるため、なくなる。
【００５３】
より詳細には、有利な様式では、機構１は、調整機構９にも接続されるか、又は調整機構９を含む。胴部３は、調整機構９の列と嵌合し、特に、図示の変形形態では、調整車９２のカナ９１と嵌合し、調整車９２は、調整がんぎ車９４と一体であるがんぎカナ９５と嵌合する。調整車９２は、胴部３が回転する間に駆動される。調整がんぎ車９４は、歯９５を含み、歯９５は、調整アンクル・レバー９７と協働するように構成し、調整アンクル・レバー９７は、アンクル石９８及び９９を含む。胴部３により付与されるトルクを受け、調整アンクル・レバー９７は、アンクル石を一方から他方に交互に通過させ、調整アンクル・レバー９７と一体である慣性錘９７０を駆動する。調整アンクル・レバー９７のこの発振運動は、てんぷ／ひげぜんまいほどの等時性はないが、機能を適切に調整することができる固有の振動数を有する。この発振器の振動数は、相補ばね９７１により実質的に修正することができ、相補ばね９７１は、ここでは、ねじ頭９７２上で動くように組み付けられ、これにより、わずかな程度まで機能時間の変更を可能にする。
【００５４】
調整機構９の他の変形形態は、慣性、遠心制動、磁気制動又は渦電流制動又はそれ以外の使用による調速器を使用することもできる。
【００５５】
胴部の１回転の速度を約２から８秒に制限するのは、この調整システムである。
【００５６】
図４から図７は、前述の適用例のシーケンスを示す。
【００５７】
図４は、正午より少し前の約１１：００のシステムの状態を示す。爪７は、錨部品８の停止部８４と当接係合している。偏心クランク・ピン５２は、錨部品８の長方形溝８１の第１の端部８１１にかなり近接している。触手６の滑り子は、スネイル５１の下側段５１１上に、径方向一点鎖線により表されるゼロ再設定境界部５２にすぐ近接して載置される。したがって、日付駆動システムは非起動状態にある。
【００５８】
図５は、正午より少し後の約１２：３０のシステムの状態を示す。爪７は、錨部品８のくちばし８３と当接係合している。偏心クランク・ピン５２は、長方形溝８１の第１の端部８１１に依然として近接している。触手６の滑り子は、スネイル５１の下側段５１１上に、ゼロ再設定境界部５２から角距離α、ここでは約３０°で載置される。日付駆動機構は依然として非起動状態にある。
【００５９】
図６は、真夜中より少し前の約２３：００のシステムの状態を示す。爪７の先端は、錨部品８のくちばし８３の先端と接触している。したがって、この先端同士の接触が終了すると、胴部３が解放され、ほぼ１回転、回転することになる。偏心クランク・ピン５２は、午後、錨部品８の長方形溝８１を横断し、現在、この長方形溝８１の第２の端部８１２に非常に近接している。触手６の滑り子は、スネイル５１の下側段５１１上に、ゼロ再設定境界部５２にすぐ近接して、依然として載置されている。日付駆動機構は依然として非起動状態にある。
【００６０】
そのわずかな後、真夜中の辺りで、爪７は、錨部品８のくちばし８３を離れ、胴部３は、角度β、ここでは約３３０°回転する。図１で詳述した調整機構９によって調整されるこの回転の間、回転が数秒継続し、ユーザにはっきりと見え、触手６の滑り子は、最初にスネイル５１の下側段５１１を横断し、次に上側段５１２に昇り、日付駆動機構を起動し、新たな日付を表示するようにする。滑り子６は、ゼロ再設定境界部５２を通過すると落下する。
【００６１】
図７は、真夜中より少し後の約００：３０のシステムの状態を示す。図７は、錨部品８の停止部８４と再度当接係合している。偏心クランク・ピン５２は、長方形溝８１の第２の端部８１２に依然として近接している。触手６の滑り子は、一点鎖線で示す高い位置から低い位置に再度落下し、スネイル５１の下側段５１１上に載置されている。進行角度βは、図６のゼロ再設定境界部５２と図７のゼロ再設定境界部５２との間に形成された角度である。
【００６２】
本発明は、そのような表示機構１を含む計時器ムーブメント５００にも関する。
【００６３】
本発明は、そのようなムーブメント５００及び／又はそのような表示機構１を含む計時器、特に、時計（ｃｌｏｃｋ又はｗａｔｃｈ）１０００にも関する。
【００６４】
本発明の変形形態が可能である。
【００６５】
真夜中の作動は、他の原理を使用して、例えば（一定力の種類の）付勢カナにより達成することができる。例えば、第３の車セット８０は、第１の車セット４の心軸４１と一体である星形車又はカナである。
【００６６】
別の変形形態は、図示のものとは逆構成を形成する。第２の車セット３０は、香箱３であり、香箱３は、駆動車セット２０１によって駆動されるように構成し、第３の車セット８０を支持する。この場合、第１の車セット４は、上記周辺スネイル５１カム５を駆動又は支持するように構成する。
【００６７】
この場合、時打調速器型の別の種類の調整システム、例えば、渦電流調速器又は磁気調速器又は静電調速器又はそれ以外によって、調整を保証することができる。
【００６８】
選択した調整機構９の種類によって規定される機能時間は、自由に選択することができ、ここでは、非限定的に１から３０秒の間に設定する。実際、これらの速度では、速度によって生成される動的応力を無視でき、静的応力しか分からない。
【００６９】
日付跳躍は、静的応力と判断できる応力のみ生成するように生じ、跳躍の間、構成要素の慣性に関係する動的影響は、無視できる。
【００７０】
跳躍は、昼の背景では瞬時に生じるとみなされるが、依然としてユーザにはっきりと見えるものであり、高級な印象を与える。
【００７１】
跳躍は数秒に限定されるため、情報の損失及び動作欠陥の危険性があるような日付修正のための時限は限られる。
【符号の説明】
【００７２】
１  計時器表示機構
２  ばね
４  第１の車セット
５  カム
６  触手
７  爪
８  留め部品
９  調整機構
３０  第２の車セット
４１  心軸
５１  周辺スネイル
５２  ゼロ再設定境界部
７０  係止／解放手段
８０  第３の車セット
８１  溝
８３  くちばし
８４  停止部
１００  表示部材
２０１  駆動車セット
５１１  下側段
５１２  上側段
１０００  時計
Ｄ４  軸
Ｄ８  錨部品軸
【図１】
2019158878.tif 000003
【図２Ａ】
2019158878.tif 000004
【図２Ｂ】
2019158878.tif 000005
【図３】
2019158878.tif 000006
【図４】
2019158878.tif 000007
【図５】
2019158878.tif 000008
【図６】
2019158878.tif 000009
【図７】
2019158878.tif 000010
【図８】
2019158878.tif 000011
【図９】
2019158878.tif 000012
【図１０】
2019158878.tif 000013
【図１１】
2019158878.tif 000014